(57)【要約】【課題】ツイストペア電線の撚り合わせを解いた部分に起因する伝送損失を抑えることができるコネクタを提供すること。【解決手段】ツイストペア電線１０の各電線１１の端末部に取り付けられた端子１２が収容される端子収容室２１が形成されたコネクタハウジング２０を有してなるコネクタ１において、各電線１１が端子収容室２１に端子１２が収容された状態で先端から端子収容室２１の端子挿入口２１ａのさらに外方かつ該端子挿入口２１ａの周辺となる部分を含む所定区間で撚り解かれ、かつ、該所定区間で導体部１１ａが露出されており、各電線１１の端子挿入口２１ａの外方かつ端子挿入口２１ａの周辺で露出された導体部１１ａを、各電線１１の端末部に取り付けられた端子１２が収容される端子収容室２１に対応した所定位置に互いに隔離された状態で保持し、かつ、高誘電率の材料からなるインピーダンス調整部材６０を有してなる。【選択図】図３
2018092801.tif 000002
【特許請求の範囲】
【請求項１】
ツイストペア電線の各電線の端末部に取り付けられた端子が収容される端子収容室が形成されたコネクタハウジングを有してなるコネクタにおいて、
前記各電線が前記端子収容室に前記端子が収容された状態で先端から前記端子収容室の端子挿入口のさらに外方かつ該端子挿入口の周辺となる部分を含む所定区間で撚り解かれ、かつ、該所定区間で導体部が露出されており、
前記各電線の前記端子挿入口の外方かつ該端子挿入口の周辺で露出された前記導体部を、各電線の端末部に取り付けられた前記端子が収容される前記端子収容室に対応した所定位置に互いに隔離された状態で保持し、かつ、高誘電率の材料からなるインピーダンス調整部材
を有してなることを特徴とするコネクタ。
【請求項２】
前記インピーダンス調整部材は、
本体部分となる柱状の部材本体と、
前記部材本体の縁面の一端から他端まで露出された前記導体部が挿通可能な幅で内方に向けて切り込まれたスリット部と、前記スリット部の終端部分に連結され、前記スリット部内に挿通された前記導体部を前記所定位置に保持する導体部通し孔と、を備え、前記各電線に対応して前記部材本体に設けられた露出導体セット部と、
を有してなることを特徴とする請求項１に記載のコネクタ。
【請求項３】
前記インピーダンス調整部材は、
本体部分となる柱状の部材本体と、
前記部材本体の両端部分を閉じた状態で前記部材本体の内部を２分する切り込み部と、
前記切り込み部に対して直交方向で連結され、かつ、露出された前記導体部が挿通可能な幅で切り込まれたスリット部と、前記スリット部の終端部分に連結され、前記スリット部内に挿通された前記導体部を前記所定位置に保持する導体部通し孔と、を備え、前記各電線に対応して前記部材本体に設けられた露出導体セット部と、
を有し、
前記部材本体は、外力が負荷されることによって前記切り込み部が拡大して開口されるように弾性的に変形され、外力が解除されることによって、前記切り込み部が拡大される前の状態に弾性的に復元される
ことを特徴とする請求項１に記載のコネクタ。
【発明の詳細な説明】
【技術分野】
【０００１】
本発明は、ツイストペア電線の各電線の端末部に取り付けられた端子が収容される端子収容室が形成されたコネクタハウジングを有してなるコネクタに関する。
【背景技術】
【０００２】
従来、複数の電線が接続されるコネクタは、各電線から発生される磁界の影響を抑えるため、２本の電線を撚り合せたツイストペア電線を接続させるようにしている。
【０００３】
例えば、特許文献１には、コネクタハウジングの外側で一部撚りが戻されたツイストペア電線の戻された部分の電線２本を電線保持部材により近接させて保持することで、この部分の静電容量を大きくすることで高くなってしまったより戻し部分のインピーダンス整合を図るようにしたツイストペア電線のインピーダンス調整方法が提案されている。
【先行技術文献】
【特許文献】
【０００４】
【特許文献１】特開２００４−７１４０４号公報
【発明の概要】
【発明が解決しようとする課題】
【０００５】
しかしながら、特許文献１に記載された技術は、ツイストペア電線に撚り合わせを解いた部分を設けなければならないため、ツイストペア電線の線間容量が変化し、整合のとれていたインピーダンスに乱れが生じ、結果的に、伝送損失が増加してしまうという問題があった。
【０００６】
本発明は、上記に鑑みてなされたものであって、ツイストペア電線の撚り合わせを解いた部分に起因する伝送損失を抑えることができるコネクタを提供することを目的とする。
【課題を解決するための手段】
【０００７】
上述した課題を解決し、目的を達成するために、本発明の請求項１に係るコネクタは、ツイストペア電線の各電線の端末部に取り付けられた端子が収容される端子収容室が形成されたコネクタハウジングを有してなるコネクタにおいて、前記各電線が前記端子収容室に前記端子が収容された状態で先端から前記端子収容室の端子挿入口のさらに外方かつ該端子挿入口の周辺となる部分を含む所定区間で撚り解かれ、かつ、該所定区間で導体部が露出されており、前記各電線の前記端子挿入口の外方かつ該端子挿入口の周辺で露出された前記導体部を、各電線の端末部に取り付けられた前記端子が収容される前記端子収容室に対応した所定位置に互いに隔離された状態で保持し、かつ、高誘電率の材料からなるインピーダンス調整部材を有してなることを特徴とする。
【０００８】
また、本発明の請求項２に係るコネクタは、上記の発明において、前記インピーダンス調整部材が、本体部分となる柱状の部材本体と、前記部材本体の縁面の一端から他端まで露出された前記導体部が挿通可能な幅で内方に向けて切り込まれたスリット部と、前記スリット部の終端部分に連結され、前記スリット部内に挿通された前記導体部を前記所定位置に保持する導体部通し孔と、を備え、前記各電線に対応して前記部材本体に設けられた露出導体セット部と、を有してなることを特徴とする。
【０００９】
また、本発明の請求項３に係るコネクタは、上記の発明において、前記インピーダンス調整部材が、本体部分となる柱状の部材本体と、前記部材本体の両端部分を閉じた状態で前記部材本体の内部を２分する切り込み部と、前記切り込み部に対して直交方向で連結され、かつ、露出された前記導体部が挿通可能な幅で切り込まれたスリット部と、前記スリット部の終端部分に連結され、前記スリット部内に挿通された前記導体部を前記所定位置に保持する導体部通し孔と、を備え、前記各電線に対応して前記部材本体に設けられた露出導体セット部と、を有し、前記部材本体が、外力が負荷されることによって前記切り込み部が拡大して開口されるように弾性的に変形され、外力が解除されることによって、前記切り込み部が拡大される前の状態に弾性的に復元されることを特徴とする。
【発明の効果】
【００１０】
本発明の請求項１に係るコネクタは、前記ツイストペア電線の各電線が前記端子収容室に前記端子が収容された状態で先端から前記端子収容室の端子挿入口のさらに外方かつ該端子挿入口の周辺となる部分を含む所定区間で撚り解かれ、かつ、該所定区間で導体部が露出されており、高誘電率の材料からなる前記インピーダンス調整部材によって、前記端子挿入口の外方かつ該端子挿入口の周辺で露出された前記導体部が前記端子収容室に対応した所定位置に互いに隔離された状態で保持されているので、前記ツイストペア電線の撚り解き部分の線間容量が変化し、インピーダンス整合を行うことができるので、ツイストペア電線の撚り合わせを解いた部分に起因する伝送損失を抑えることができる。
【００１１】
本発明の請求項２に係るコネクタは、前記各電線の前記端子挿入口の外方かつ該端子挿入口の周辺で露出された前記導体部を、前記インピーダンス調整部材の前記部材本体の縁面から前記導体部が挿通可能な幅で切り込まれた前記スリット部を通して前記導体部通し孔にセットすることによって、前記各電線の前記端子挿入口の外方かつ該端子挿入口の周辺で撚り解かれた部分の露出された前記導体部を各電線の端末部に取り付けられた前記端子が収容される前記端子収容室に対応した所定位置に互いに隔離された状態で容易に保持させることができる。
【００１２】
本発明の請求項３に係るコネクタは、前記各電線の前記端子挿入口の外方かつ該端子挿入口の周辺で露出された前記導体部を、前記インピーダンス調整部材の弾性的に開口が拡大された前記切り込み部を通し、さらに前記導体部が挿通可能な幅で前記切り込み部に連接する前記スリット部を通して前記導体部通し孔にセットすることによって、前記各電線の前記端子挿入口の外方かつ該端子挿入口の周辺で撚り解かれた部分の露出された前記導体部を、各電線の端末部に取り付けられた前記端子が収容される前記端子収容室に対応した所定位置に互いに隔離された状態で容易に保持させることができ、しかも、前記切り込み部を間にして対向配置された各導体部通し孔に挿通された各導体部が、前記切り込み部から各導体部通し孔に向けて直交方向に延びる各スリット部内の空気層によって静電容量が低下されるので、クロストークを改善することができる。
【図面の簡単な説明】
【００１３】
【図１】図１は、本発明の実施例１に係るコネクタの斜視図である。
【図２】図２は、シールドシェルを取り付ける前のコネクタのインナーハウジングを断面視した図である。
【図３】図３は、図１に示したコネクタの断面図である。
【図４】図４は、シールドシェルが取り付け完了されたインナーハウジングの斜視図である。
【図５】図５は、（ａ）がインピーダンス調整部材の斜視図であり、（ｂ）がインピーダンス調整部材の正面図である。
【図６】図６は、本発明の実施例２に係るコネクタの断面図である。
【図７】図７は、（ａ）がインピーダンス調整部材の斜視図であり、（ｂ）がインピーダンス調整部材の正面図である。
【図８】図８は、（ａ）が外力が負荷されていない自然状態のインピーダンス調整部材の正面図であり、（ｂ）が外力が負荷された状態のインピーダンス調整部材の正面図である。
【図９】図９は、（ａ）が変形例のインピーダンス調整部材の斜視図であり、（ｂ）が変形例のインピーダンス調整部材の正面図である。
【発明を実施するための形態】
【００１４】
以下、図面を参照して、本発明に係るコネクタの好適な実施例を詳細に説明する。
【実施例１】
【００１５】
図１は、本発明の実施例１に係るコネクタ１の斜視図である。図２は、シールドシェル３０を取り付ける前のコネクタ１のインナーハウジング２０を断面視した図である。図３は、図１に示したコネクタ１の断面図である。図４は、シールドシェル３０が取り付け完了されたインナーハウジング２０の斜視図である。図５は、（ａ）がインピーダンス調整部材６０の斜視図であり、（ｂ）がインピーダンス調整部材６０の正面図である。
本発明の実施例１に係るコネクタ１は、例えば、高速通信の伝送路に用いるコネクタ１であり、ツイストペア電線１０の各電線１１の端末部に取り付けられた端子１２が収容される端子収容室２１が形成されたインナーハウジング２０と、インナーハウジング２０を包囲するように取り付けられるシールドシェル３０と、シールドシェル３０が取り付けられた状態のインナーハウジング２０が内部に収容されるアウターハウジング４０と、アウターハウジング４０の後端部を液密に封止するテールキャップ５０と、ツイストペア電線１０の撚り合わせを解いた部分でのインピーダンス整合機能をなすインピーダンス調整部材６０と、を有してなる。
【００１６】
まず、ツイストペア電線１０について説明する。
ツイストペア電線１０は、２本の電線１１が撚り合されてなる。この実施例１では、２組のツイストペア電線１０を用いている。
ツイストペア電線１０を構成する各電線１１は、導体部１１ａの外周が絶縁被覆１１ｂによって包囲されている。
【００１７】
各電線１１は、端末部の絶縁被覆１１ｂが除去されることによって露出された導体部１１ａが端子１２に接続されるようになっている。
【００１８】
また、各電線１１は、端子収容室２１に端子１２が収容された状態で先端から端子収容室２１の端子挿入口２１ａのさらに外方かつ端子挿入口２１ａの周辺となる部分を含む所定区間で撚り解かれ、かつ、該所定区間で導体部１１ａが露出されている。
【００１９】
各電線１１の端末部に取り付けられた端子１２は、接続相手端子と接続される相手端子接続部１２ａと、電線１１の露出された導体部１１ａに圧着される圧着部１２ｂと、を有してなる。
【００２０】
このようなツイストペア電線１０は、２組のツイストペア電線１０がシールド機能をなす編組１３および不図示の導電テープによって束ねられるようにして包囲され、さらに、編組１３の外周が絶縁被覆１４によって包囲されることによって一本のシールド電線１５を構成するようになっている。
なお、この実施例１では、２組のツイストペア電線１０によって双方向通信を行うことができるようになっている。
【００２１】
次に、インナーハウジング２０について説明する。
インナーハウジング２０は、絶縁性の樹脂材からなる横断面の外形が略矩形状のブロック状をなし、上下２段の各段にそれぞれ２つの端子収容室２１が設けられている。
【００２２】
２組のツイストペア電線１０は、１組のツイストペア電線１０の２本の電線１１の端末部に取り付けられた各端子１２が上段の２つの端子収容室２１にそれぞれ収容され、もう１組のツイストペア電線１０の２本の電線１１の端末部に取り付けられた各端子１２が下段の２つの端子収容室２１にそれぞれ収容されるようになっている。
【００２３】
シールドシェル３０は、シールド機能をなすものであり、板状金属部材がプレス加工等を施されることによって所定の形状に形成されたものである。
このシールドシェル３０は、インナーハウジング２０の外周だけでなく、インナーハウジング２０の端子挿入口２１ａ側の端部近傍に配置されるインピーダンス調整部材６０の外周を包囲するようになっている。
このようなシールドシェル３０によって、インナーハウジング２０とインピーダンス調整部材６０とが並んで固定されるようになっている。
【００２４】
アウターハウジング４０は、絶縁性の樹脂材からなり、インナーハウジング２０に取り付けられたシールドシェル３０の外周を囲うようにフード状に形成されたフード部４１と、電線引き出し口４０ａを防水可能に封止するための弾性シール部材Ｓ１を保持するシール部材保持部４２と、テールキャップ５０をロックするロック部４３と、不図示の接続相手コネクタにコネクタ嵌合した状態でロックするためのロックアーム部４４と、を有してなる。
【００２５】
フード部４１は、接続相手コネクタとの嵌合部分であり、外周面に弾性シール部材Ｓ２が保持され、この弾性シール部材Ｓ２によって相手接続コネクタとの嵌合部分が液密に封止されるようになっている。
【００２６】
ロック部４３は、テールキャップ５０に形成されたロック溝５１に嵌る突起からなる。
【００２７】
ロックアーム部４４は、弾性的に撓み変形可能なアーム部４４ａと、不図示の接続相手コネクタに設けられたロック突起にロックするロック孔４４ｂと、を有してなる。
【００２８】
このようなアウターハウジング４０は、シールドシェル３０を取り付けた状態のインナーハウジング２０がフード部４１内に保持収容され、テールキャップ５０が弾性シール部材Ｓ１によって電線引き出し口４０ａを液密に封止するように電線引き出し口４０ａ側に装着されるようになっている。
【００２９】
インピーダンス調整部材６０は、ツイストペア電線１０の各電線１１の端子挿入口２１ａの外方かつ端子挿入口２１ａの周辺で露出された導体部１１ａを、各電線１１の端末部に取り付けられた端子１２が収容される端子収容室２１に対応した所定位置に互いに隔離された状態で保持し、かつ、高誘電率の材料からなるものである。
【００３０】
このインピーダンス調整部材６０は、例えば、ポリフェ二レンサルファイド樹脂（Ｐｏｌｙ  Ｐｈｅｎｙｌｅｎｅ  Ｓｕｌｆｉｄｅ  Ｒｅｓｉｎ）をベースとする材料を用いる。
なお、インピーダンス調整部材６０は、ポリフェ二レンサルファイド樹脂に限らず、高誘電率の材料からなるものであればその他の材料であってもよい。
【００３１】
インピーダンス調整部材６０は、より具体的には、本体部分となる柱状の部材本体６１と、部材本体６１の縁面の一端から他端まで露出された導体部１１ａが挿通可能な幅で内方に向けて切り込まれたスリット部６２ａと、スリット部６２ａの終端部分に連結され、スリット部６２ａ内に挿通された導体部１１ａを所定位置に保持する導体部通し孔６２ｂと、を備え、各電線１１に対応して部材本体６１に設けられた露出導体セット部６２と、を有してなる。
【００３２】
部材本体６１は、インナーハウジング２０に対応して横断面の外形が矩形状をなし、外周面がインナーハウジング２０の外周面に略面一になるようにインナーハウジング２０に並べて配置することができるようになっている。
【００３３】
露出導体セット部６２は、２組のツイストペア電線１０の各電線１１に対応して部材本体６１の４カ所に設けられている。
【００３４】
各スリット部６２ａは、部材本体６１の外周面を形成する縁面６１ａのうち、互いに逆方向を向く平面部分から部材本体６１の内方に直線的に切り込まれている。
【００３５】
各導体部通し孔６２ｂは、スリット部６２ａ内に挿通された導体部１１ａを直線的に端子収容室２１内に導くように、端子収容室２１の端子挿入口２１ａに位置を合わせるように配置されている。
なお、各導体部通し孔６２ｂ内に配置された導体部１１ａは、誘電率が小さい絶縁被覆１１ｂが除去されているため、インピーダンス調整部材６０によるインピーダンス調整効果が高められるようになっている。
【００３６】
ここでコネクタ１の組立手順について説明する。
まず、２組のツイストペア電線１０の各電線１１の端末部の撚り合わせを解き、端末部の絶縁被覆１１ｂを除去する。
より具体的には、各電線１１が端子収容室２１に端子１２が収容された状態で先端から端子挿入口２１ａのさらに外方かつ端子挿入口２１ａの周辺となる部分を含む所定区間で各電線１１の撚り合わせを解くとともにその所定区間の絶縁被覆１１ｂを除去する。
ここで各電線１１の露出された導体部１１ａは、端子１２が圧着される部分、および、インピーダンス調整部材６０によって保持される部分になる。
【００３７】
次に、２組のツイストペア電線１０の各電線１１の端末部に端子１２を圧着する。
ここで各ツイストペア電線１０の端末部の撚り合わせが解かれているため、端子圧着冶具への各電線１１の端末部のセット作業等、各電線１１に端子１２を圧着する作業を容易に行うことができる。
【００３８】
次に、インピーダンス調整部材６０に２組のツイストペア電線１０の各電線１１をセットする。
ここで端子挿入口２１ａの外方かつ端子挿入口２１ａの周辺で露出された各電線１１の導体部１１ａを対応する露出導体セット部６２の各スリット部６２ａを通して各導体部通し孔６２ｂに配置する。
【００３９】
次に、２組のツイストペア電線１０の各電線１１の端末部に取り付けられた各端子１２をインナーハウジング２０の対応する各端子収容室２１にそれぞれセットする（図３参照）。
【００４０】
次に、シールドシェル３０をインナーハウジング２０、および、インピーダンス調整部材６０の外周を包囲するように取り付ける（図４参照）。
【００４１】
次に、シールドシェル３０によって外周が包囲されたインナーハウジング２０、および、インピーダンス調整部材６０をアウターハウジング４０内にセットし、最後に、テールキャップ５０をアウターハウジング４０の電線引き出し口４０ａ側に装着することによってコネクタ１の組み立て作業が完了される。
【００４２】
本発明の実施例１に係るコネクタ１は、ツイストペア電線１０の各電線１１が端子収容室２１に端子１２が収容された状態で先端から端子挿入口２１ａのさらに外方かつ端子挿入口２１ａの周辺となる部分を含む所定区間で撚り解かれ、かつ、該所定区間で導体部１１ａが露出されており、高誘電率の材料からなるインピーダンス調整部材６０によって、端子挿入口２１ａの外方かつ該端子挿入口２１ａの周辺で露出された導体部１１ａが端子収容室２１に対応した所定位置に互いに隔離された状態で保持されているので、ツイストペア電線１０の撚り解き部分の線間容量が変化し、インピーダンス整合を行うことができるので、ツイストペア電線の撚り合わせを解いた部分に起因する伝送損失を抑えることができる。
【００４３】
また、本発明の実施例１に係るコネクタ１は、各電線１１の端子挿入口２１ａの外方かつ端子挿入口２１ａの周辺で露出された導体部１１ａを、インピーダンス調整部材６０の部材本体６１の縁面６１ａから導体部１１ａが挿通可能な幅で切り込まれたスリット部６２ａを通して導体部通し孔６２ｂにセットすることによって、各電線１１の端子挿入口２１ａの外方かつ端子挿入口２１ａの周辺で撚り解かれた部分の露出された導体部１１ａを各電線１１の端末部に取り付けられた端子１２が収容される端子収容室２１に対応した所定位置に互いに隔離された状態で容易に保持させることができる。
【実施例２】
【００４４】
次に、図６−８を用いて本発明の実施例２に係るコネクタ２について説明する。
図６は、本発明の実施例２に係るコネクタ２の断面図である。図７は、（ａ）がインピーダンス調整部材７０の斜視図であり、（ｂ）がインピーダンス調整部材７０の正面図である。図８は、（ａ）が外力が負荷されていない自然状態のインピーダンス調整部材７０の正面図であり、（ｂ）が外力が負荷された状態のインピーダンス調整部材７０の正面図である。
この実施例２のコネクタ２は、インピーダンス調整部材７０が異なる点で、実施例１のコネクタと異なる。
なお、その他の構成は実施例１と同様であり、実施例１と同一構成部分には同一符号を付しその説明を省略している。
【００４５】
インピーダンス調整部材７０は、各電線１１の端子挿入口２１ａの外方かつ端子挿入口２１ａの周辺で露出された導体部１１ａを、各電線１１の端末部に取り付けられた端子１２が収容される端子収容室２１に対応した所定位置に互いに隔離された状態で保持し、かつ、高誘電率の材料からなる。
【００４６】
このインピーダンス調整部材７０は、本体部分となる柱状の部材本体７１と、部材本体７１の内部を２分する切り込み部７２と、各電線１１に対応して部材本体７１に設けられた露出導体セット部７３と、を有してなる。
【００４７】
また、インピーダンス調整部材７０は、部材本体７１が、外力が負荷されることによって切り込み部７２が拡大して開口されるように弾性的に変形され、外力が解除されることによって、切り込み部７２が拡大される前の状態に弾性的に復元される弾性部材からなる。
【００４８】
部材本体７１は、インナーハウジング２０に対応して横断面の外形が矩形状をなし、外周面がインナーハウジング２０の外周面に略面一になるようにインナーハウジング２０に並べて配置することができるようになっている。
【００４９】
切り込み部７２は、部材本体７１の両端部分を閉じた状態で部材本体７１の内部を２分するように切り込んだ部分である。
この切り込み部７２は、直線状、かつ、一定の幅の隙間を部材本体７１の中心を通るように部材本体７１内に形成したものである。
【００５０】
なお、この実施例２では、切り込み部７２が部材本体７１に外力が負荷されていない自然状態で隙間空間を形成するものを例示したが、自然状態では切り込み部７２の対向する内縁面が互いに密着するようにしても構わない。
【００５１】
露出導体セット部７３は、切り込み部７２に対して直交方向で連結され、かつ、露出された導体部１１ａが挿通可能な幅で切り込まれたスリット部７３ａと、スリット部７３ａの終端部分に連結され、スリット部７３ａ内に挿通された導体部１１ａを所定位置に保持する導体部通し孔７３ｂと、を備え、各電線１１に対応して部材本体７１に設けられている。
【００５２】
露出導体セット部７３は、２組のツイストペア電線１０の各電線１１に対応して部材本体７１の４カ所に設けられている。
【００５３】
各露出導体セット部７３は、切り込み部７２を間にして２分された部材本体７１のそれぞれの分割領域に２箇所ずつ設けられ、各スリット部７３ａが切り込み部７２によって形成された隙間空間に連続した隙間空間を形成するように切り込み部７２に連接して設けられている。
【００５４】
各導体部通し孔７３ｂは、スリット部７３ａ内に挿通された導体部１１ａを直線的に端子収容室２１内に導くように、端子収容室２１の端子挿入口２１ａに位置を合わせるように配置されている。
【００５５】
切り込み部７２を間にして対向配置された各導体部通し孔７３ｂに挿通された導体部１１ａは、スリット部７３ａ内の空気層によって静電容量が低下され、クロストークが改善されるようになっている。
【００５６】
このようなインピーダンス調整部材７０は、図８に示すように、例えば、切り込み部７２の両端の閉じた部分周辺を部材本体７１の内方に向けて押圧するように外力を負荷すると、切り込み部７２が拡大して開口されるように弾性変形される（図８（ｂ）参照）。
このように切り込み部７２が拡大して開口されることによって、各電線１１の端末部に端子１２を取り付けた状態であっても切り込み部７２内に露出された各電線１１の露出された導体部１１ａを挿通することができる。
このように弾性変形されたインピーダンス調整部材７０は、外力が解除されると、切り込み部７２が拡大される前の状態に弾性的に復元される（図８（ａ）参照）。
【００５７】
ここでコネクタの組立手順について説明する。
なお、この実施例２のコネクタ２は、インピーダンス調整部材７０に２組のツイストペア電線１０の各電線１１をセットする手順のみ実施例１のコネクタ１の組み立て手順と異なるため、この異なる手順のみ説明する。
【００５８】
２組のツイストペア電線１０の各電線１１の端末部に端子１２を圧着した後、インピーダンス調整部材７０に２組のツイストペア電線１０の各電線１１をセットする。
ここで、各電線１１は、導体部１１ａが端子挿入口２１ａの外方かつ端子挿入口２１ａの周辺で露出されるようになっているため、各電線１１の露出された導体部１１ａを対応する露出導体セット部７３のスリット部７３ａを通して導体部通し孔７３ｂに配置する。
このとき、図８（ｂ）に示すように、インピーダンス調整部材７０に外力を負荷することによって拡大して開口された切り込み部７２に、端末部に端子１２が取り付けられた状態の各電線１１の導体部１１ａを挿通し、その切り込み部７２に挿通された各電線１１の導体部１１ａを切り込み部７２に連続する各スリット部７３ａを通して各導体部通し孔７３ｂに配置する。
【００５９】
本発明の実施例２に係るコネクタ２は、各電線１１の端子挿入口２１ａの外方かつ端子挿入口２１ａの周辺で露出された導体部１１ａを、インピーダンス調整部材７０の弾性的に開口が拡大された切り込み部７２を通し、さらに導体部１１ａが挿通可能な幅で切り込み部７２に連接するスリット部７３ａを通して導体部通し孔７３ｂにセットすることによって、各電線１１の端子挿入口２１ａの外方かつ端子挿入口２１ａの周辺で撚り解かれた部分の露出された導体部１１ａを、各電線１１の端末部に取り付けられた端子１２が収容される端子収容室２１に対応した所定位置に互いに隔離された状態で容易に保持させることができ、しかも、切り込み部７２を間にして対向配置された各導体部通し孔７３ｂに挿通された各導体部１１ａが、切り込み部７２から各導体部通し孔７３ｂに向けて直交方向に延びる各スリット部７３ａ内の空気層によって静電容量が低下されるので、クロストークを改善することができる。
（変形例）
【００６０】
次に、図９を用いて本発明の実施例２のインピーダンス調整部材８０の変形例について説明する。
図９は、（ａ）が変形例のインピーダンス調整部材８０の斜視図であり、（ｂ）が変形例のインピーダンス調整部材８０の正面図である。
この変形例のインピーダンス調整部材８０は、弾性変形させて切り込み部８２を拡大して開口させなくても露出された導体部１１ａを対応する導体部通し孔７３ｂに配置することができるようになっている点で、実施例２のインピーダンス調整部材７０と異なる。
なお、その他の構成は実施例２と同様であり、実施例２と同一構成部分には同一符号を付しその説明を省略している。
【００６１】
この変形例のインピーダンス調整部材８０は、本体部分となる柱状の部材本体８１と、露出された導体部１１ａが挿通可能な幅で切り込まれた切り込み部８２と、切り込み部８２に対して直交方向で連結され、かつ、露出された導体部１１ａが挿通可能な幅で切り込まれたスリット部７３ａと、スリット部７３ａの終端部分に連結され、スリット部７３ａ内に挿通された導体部１１ａを所定位置に保持する導体部通し孔７３ｂと、を備えている。
【００６２】
切り込み部８２は、部材本体８１の一端面から、直線状、かつ、露出された導体部１１ａが挿通可能な幅の隙間空間が部材本体８１の中心を通るように部材本体８１内方に向けて形成されたものである。
すなわち、切り込み部８２の一端側は開口８２ａになっており、この開口８２ａから露出された導体部１１ａが切り込み部内に挿通されるようになっている。
【００６３】
このようなインピーダンス調整部材８０に２組のツイストペア電線１０の各電線１１をセットする場合、まず、端末部に端子１２が取り付けられた状態の各電線１１の導体部１１ａを切り込み部８２の一端側の開口８２ａから挿入し、切り込み部８２に挿入された各電線１１の導体部１１ａを対応する露出導体セット部７３の各スリット部７３ａを通して各導体部通し孔７３ｂに配置する。
【００６４】
この変形例のインピーダンス調整部材８０は、切り込み部８２を間にして対向配置された各導体部通し孔７３ｂに挿通された各導体部１１ａが、切り込み部８２から各導体部通し孔７３ｂに向けて直交方向に延びる各スリット部７３ａ内の空気層によって静電容量が低下されるので、弾性材でなくても実施例２のインピーダンス調整部材７０と同様に、クロストークを改善することができる。
【００６５】
なお、本発明の実施例１および２に係るコネクタ１、２は、シールドシェル３０によって、インナーハウジング２０とインピーダンス調整部材６０、７０、８０とを並べて固定するようにしていたが、これに限らず、インナーハウジング２０およびインピーダンス調整部材６０、７０、８０自体に互いを並べて固定する部分を設けるようにしても構わない。
【００６６】
また、本発明の実施例１および２に係るコネクタ１、２は、２組のツイストペア電線１０に接続されるものを例示したが、ツイストペア電線１０の数はこれに限らず、少なくとも１組のツイストペア電線１０に接続するものであればよい。
【００６７】
また、本発明の実施例１および２に係るコネクタ１、２は、インナーハウジング２０およびアウターハウジング４０を有してなり、ツイストペア電線１０の端末部に取り付けられた各端子１２がインナーハウジング２０の各端子収容室２１に収容されるものを例示したが、これに限らず、各端子１２を収容する端子収容室を有してなるコネクタハウジングを有していればインナーハウジング２０およびアウターハウジング４０を有してなる構成でなくてもよい。
【００６８】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６９】
１、２          コネクタ
１０            ツイストペア電線
１１            電線
１１ａ          導体部
１１ｂ          絶縁被覆
１２            端子
１２ａ          相手端子接続部
１２ｂ          圧着部
１３            編組
１４            絶縁被覆
１５            シールド電線
２０            インナーハウジング（コネクタハウジング）
２１            端子収容室
２１ａ          端子挿入口
３０            シールドシェル
４０            アウターハウジング
４０ａ          電線引き出し口
４１            フード部
４２            シール部材保持部
４３            ロック部
４４            ロックアーム部
４４ａ          アーム部
４４ｂ          ロック孔
５０            テールキャップ
５１            ロック溝
６０、７０、８０  インピーダンス調整部材
６１、７１、８１  部材本体
６１ａ          縁面
６２、７３      露出導体セット部
６２ａ、７３ａ  スリット部
６２ｂ、７３ｂ  導体部通し孔
７２、８２      切り込み部
８２ａ          開口
Ｓ１、Ｓ２      弾性シール部材
【図１】
2018092801.tif 000003
【図２】
2018092801.tif 000004
【図３】
2018092801.tif 000005
【図４】
2018092801.tif 000006
【図５】
2018092801.tif 000007
【図６】
2018092801.tif 000008
【図７】
2018092801.tif 000009
【図８】
2018092801.tif 000010
【図９】
2018092801.tif 000011